(57)【要約】【課題】不必要な画像のみを確実に削除可能なデジタルカメラを提供する。【解決手段】画像削除モードに設定された時に、第１ＬＣＤパネルには、メモリカードに記録された画像のインデックス画像が一覧表示された画像リスト画面が表示される。また、第２ＬＣＤパネルには、画像リスト画面にて削除対象として選択されたインデックス画像が移動して一覧表示された削除画像リスト画面が同時に表示される。この削除画像リスト画面にて、画面内に表示されたインデックス画像を選択することにより、削除対象としての選択が解除されて、削除画像リストからインデックス画像が削除され、画像リスト画面に再び表示される。削除画像リスト画面には、削除実行アイコンが設けられており、このアイコンを選択することにより、メモリカード２６から削除対象として削除画像リスト画面に表示されたインデックス画像に対応する画像データが削除される。【選択図】        図４
2004242093.tif 000002
【特許請求の範囲】
【請求項１】
撮影手段によって撮影された画像データを記録する記録媒体を備えたデジタルカメラにおいて、
画像や各種設定画面等を表示する複数の表示手段を備え、この複数の表示手段は、前記記録媒体に記録された画像データの削除処理を行うときに、前記記録手段に記録された画像のインデックス画像を表示する画像リスト画面と、削除対象として選択された画像のインデックス画像を表示する削除画像リスト画面とを同時に表示可能であることを特徴とするデジタルカメラ。
【請求項２】
前記画像リスト画面に表示されたインデックス画像は、削除対象として選択されると、前記画像リスト画面から削除され、前記削除画像リスト画面に追加表示されることを特徴とする請求項１記載のデジタルカメラ。
【請求項３】
前記削除リスト画面に表示されたインデックス画像は、非削除対象として選択されると、前記削除画像リスト画面から削除され、前記画像リスト画面に追加表示されることを特徴とする請求項１または請求項２記載のデジタルカメラ。
【請求項４】
前記記録媒体から削除する画像の選択が終了した後、削除対象として選択されたインデックス画像に対応する画像データを画像データ毎に前記記録媒体から削除する削除手段と、削除対象として選択されたインデックス画像に対応する画像データを前記記録媒体から一括して削除する一括削除手段との少なくとも一方を有することを特徴とする請求項１〜請求項３のいずれかに記載のデジタルカメラ。
【請求項５】
前記複数の表示手段において、前記画像リスト画面および前記削除画像リスト画面を表示する表示手段の位置は、適宜設定変更可能であることを特徴とするデジタルカメラ。
【発明の詳細な説明】
【０００１】
【発明の属する技術分野】
本発明は、不必要となった記録画像データを記録媒体から削除することが可能なデジタルカメラに関する。
【０００２】
【従来の技術】
近年、デジタルカメラは、一般消費者に広く利用されるようになってきた。このようなデジタルカメラでは、表示手段としてＬＣＤ（Ｌｉｑｕｉｄ  Ｃｒｙｓｔａｌ  Ｄｉｓｐｌａｙ）パネル等がカメラ本体の背面側に１つだけ設けられていることが多い。このようなＬＣＤパネルは、電子ビューファインダとして利用されたり、記録画像の再生に使用される。また、記録媒体であるメモリカード等に記録されている画像データを削除する場合に、この液晶ディスプレイに削除メニューを表示して、削除する画像を１つだけ表示して削除の選択を行ったり、インデックス画像を表示して、削除したい記録画像をユーザが選択することにより画像データの削除を行っている（例えば、特許文献１参照）。
【０００３】
【特許文献１】
特開平１１−３４１３４１号公報
【０００４】
【発明が解決しようとする課題】
しかしながら、上記特許文献１に記載のデジタルカメラでは、記録画像が多い場合、どの記録画像を削除画像として選択したのか分かりにくい。このため、削除画像の選択を誤って、削除する必要のない画像を削除してしまうという問題があった。
【０００５】
本発明は、上記問題点を解決するためのもので、不必要な画像のみを確実に削除することが可能なデジタルカメラを提供することを目的とする。
【０００６】
【課題を解決するための手段】
上記問題点を解決するために、本発明のデジタルカメラは、撮影手段によって撮影された画像データを記録する記録媒体を備えたデジタルカメラであり、画像や各種設定画面等を表示する複数の表示手段を備え、この複数の表示手段は、記録媒体に記録された画像データの削除処理を行うときに、記録手段に記録された画像のインデックス画像を表示する画像リスト画面と、削除対象として選択された画像のインデックス画像を表示する削除画像リスト画面とを同時に表示可能であることを特徴とするものである。
【０００７】
また、画像リスト画面に表示されたインデックス画像は、削除対象として選択されると、画像リスト画面から削除され、削除画像リスト画面に追加表示されることを特徴とするものであり、さらに、削除リスト画面に表示されたインデックス画像は、非削除対象として選択されると、削除画像リスト画面から削除され、画像リスト画面に追加表示されることを特徴とするものである。
【０００８】
また、本発明のデジタルカメラは、記録媒体から削除する画像の選択が終了した後、削除対象として選択されたインデックス画像に対応する画像データを画像データ毎に記録媒体から削除する削除手段と、削除対象として選択されたインデックス画像に対応する画像データを記録媒体から一括して削除する一括削除手段との少なくとも一方を有することを特徴とするものである。
【０００９】
さらに、複数の表示手段において、画像リスト画面および削除画像リスト画面を表示する表示手段の位置は、適宜設定変更可能であることを特徴とするものである。
【００１０】
【発明の実施の形態】
本発明を実施したデジタルカメラ１０の外観斜視図を図１及び図２に示す。図１は、デジタルカメラ１０の前面側の外観形状を示しており、図２は、背面側の外観形状を示している。カメラ本体１１の前面の右上部には、対物側ファインダ窓１２が設けられており、中央部には、開閉自在にスライド操作される半月状のレンズバリア１３が組み付けられている。このレンズバリア１３が、開放位置にスライド操作された時に、撮影レンズ１４、ストロボ発光部１５等が露呈する。また、カメラ本体１１の上面には、シャッタボタン１６が設けられている。
【００１１】
カメラ本体１１の背面には、接眼側ファインダ窓１７，第１ＬＣＤパネル１８，第２ＬＣＤパネル１９，各種操作を行うための操作ボタン２０，カーソル操作ボタン２１が設けられている。第１ＬＣＤパネル１８及び第２ＬＣＤパネル１９は、左右に並ぶように配置されているが、これに限るものではなく、上下に並ぶように配置しても良い。また、第１及び第２ＬＣＤパネル１８，１９は、撮影モードに設定された時に被写体確認用の画像であるスルー画を表示する電子ビューファインダとして使用される。また、再生モードでは、記録画像の再生表示を行う。また、セットアップモードにおいては、各種設定画面等が表示される。
【００１２】
操作ボタン２０は、電源ボタン２２，モード選択ボタン２３，決定ボタン２４の３つのボタンで構成されている。電源ボタン２２は、電源スイッチのオン／オフ切替を行う時に、ユーザに押圧操作される。また、モード選択ボタン２３は、撮影を行う撮影モード／記録画像を再生表示する再生モード／各種設定を行うセットアップモード等のモード切替時にユーザにより押圧操作される。決定ボタン２４は、セットアップモード等で選んだ選択肢を確定する際にユーザによって押圧操作される。
【００１３】
カーソル操作ボタン２１は、円形状のボタンであり、この円周を等分割する上下左右の４箇所が押圧操作部となっており、それぞれを操作することによりカーソルを上下左右に移動させることができる。
【００１４】
前述の操作ボタン２０，及びカーソル操作ボタン２１を操作することにより、各種設定・操作を行うことができる。例えば、モード選択ボタン２３を押圧操作してセットアップモードにしたときに、第１ＬＣＤパネル１８，第２ＬＣＤパネル１９の設定画面内に表示されたメニューのうち該当する項目にカーソルを移動させ、決定ボタン２４を押圧操作することにより、該当する項目が選択されて各種操作を行うことができる。なお、ボタンの機能、ボタンの数、ボタンの配置位置は、デジタルカメラの機能などに合わせて変更すれば良く、本実施形態に限定されるものではない。
【００１５】
カメラ本体１１の側面には、スロット２５が設けられており、メモリカード２６が、このスロット２５に着脱自在に取り付けられる。メモリカード２６としては、不揮発性の半導体メモリであるフラッシュメモリが使用されている。このメモリカード２６内には、記録画像のデータを記録する領域と、この記録画像を管理するためのデータが記録されるファイル管理領域とが設けられている。
【００１６】
第１及び第２ＬＣＤパネル１８，１９は、撮影モードにおいては、被写体確認用の画像であるスルー画を表示する電子ビューファインダとして使用される。この時、２つのＬＣＤパネル１８，１９のうち電子ビューファインダとして設定されている方にスルー画が表示される。この設定は、セットアップモードにて適宜変更可能にされており、２つのＬＣＤパネル１８，１９のどちらを電子ビューファインダとして設定しても良い。
【００１７】
また、２つのＬＣＤパネル１８，１９は、再生モードに設定された場合には、メモリカード２６に記録された画像を再生表示する。この再生表示においても、第１及び第２ＬＣＤパネル１８，１９のどちらに再生表示するかは、セットアップモードにて適宜変更可能にされている。また、この再生表示においては、第１ＬＣＤパネル１８に、記録画像を縮小表示したインデックス画像を表示して、カーソル選択ボタン２１にて選択されたインデックス画像に対応する画像を第２ＬＣＤパネル１９に拡大表示するようにしても良い。また、反対に、第２ＬＣＤパネル１９にインデックス画像を表示して、第１ＬＣＤパネル１８に記録画像を拡大表示するようにしても良く、セットアップモードにて適宜変更可能にされている。
【００１８】
また、再生モードには、メモリカード２６の容量が少なくなったときに、不要な記録画像のデータを削除してメモリ残量を確保するために、画像削除モードが設定されている。
【００１９】
この画像削除モードでは、メモリカード２６に記録された画像のインデックス画像が一覧表示された画像リスト画面が第１ＬＣＤパネル１８に表示される。また、この画像リスト画面にて削除対象として選択されたインデックス画像は、画像リスト画面から削除され、第２ＬＣＤパネル１９に表示された削除画像リスト画面に追加表示される。
【００２０】
削除画像リスト画面内にカーソルがある場合に、ユーザが画面内のインデックス画像の確認を行い、画面内に削除する必要のない画像のインデックス画像があったときには、その画像のインデックス画像を選択することにより、削除対象としての選択が解除され、削除画像リスト画面からこのインデックス画像が削除され、再び画像リスト画面に追加表示される。
【００２１】
また、削除画像リスト画面内に表示された削除実行用アイコンを選択することにより削除が実行され、削除画像リスト画面内のインデックス画像に対応する画像データがメモリカード２６から削除される。この時、メモリカード２６内のファイル管理領域が更新される。
【００２２】
図３は、本発明のデジタルカメラ１０の電気構成を示すブロック図である。被写体光は、撮影レンズ３０を透過してデジタルカメラ１０内に入射する。撮影レンズ３０の背後には、ＣＣＤイメージセンサやＣＭＯＳイメージセンサ等で構成された固体撮像素子３１が配置されている。撮影レンズ３０を透過した被写体光が、固体撮像素子３１に画像データとして取得される。固体撮像素子３１は、ドライバ３２及びタイミングジェネレータ３３を介して、デジタルカメラ１０の全体を制御するＣＰＵ３４に接続されている。このＣＰＵ３４が、クロック信号を発生させるタイミングジェネレータ３３と、ドライバ３２を制御することにより固体撮像素子３１を駆動させる。
【００２３】
この固体撮像素子３１から出力された画像データは、相関二重サンプリング回路（ＣＤＳ）３５に入力され、固体撮像素子３１の各セルの蓄積電荷量に正確に対応したＲ，Ｇ，Ｂの画像データとして出力される。ＣＤＳ３５から出力された画像データは、増幅器（ＡＭＰ）３６で増幅されて、Ａ／Ｄ変換器３７でデジタルデータに変換される。デジタル化された画像データは、画像信号処理部３８に送信される。画像信号処理部３８は、データバス３９を介して、ビデオメモリ４０及びバッファメモリ４１に接続されており、それぞれに画像データを書き込む。
【００２４】
ビデオメモリ４０は、第１及び第２ＬＣＤパネル１８，１９を電子ビューファインダとして使用する際に、解像度の低い画像データが一時的に記録される。ビデオメモリ４０に記録された画像データは、データバス３９を介してＬＣＤドライバ４２，４３に送信され、第１及び第２ＬＣＤパネル１８，１９に表示される。バッファメモリ４１は、撮像された高解像度の画像データが一時的に記録される。このバッファメモリ４１から読み出された画像データは、データバス３９を介して接続されている圧縮・伸張処理部４４により、ＪＰＥＧ等の圧縮方式により圧縮される。圧縮された画像データは、ＣＰＵ３４がメディアコントローラ４５を制御して、記録媒体であるメモリカード２６に記録される。
【００２５】
また、ＣＰＵ３４には、操作ボタン２０及びカーソル操作ボタン２１が接続されている。ＣＰＵ３４は、操作ボタン２０及びカーソル操作ボタン２１がユーザによって押圧操作されることにより、ユーザからの指令を取得する。ユーザから記録画像の再生命令を取得した場合には、ＣＰＵ３４は、メディアコントローラ４５を制御して、メモリカード２６から画像データを読み出す。ＣＰＵ３４は、圧縮・伸張処理部４４を制御して、読み出した画像データの伸張を行う。その後、ＣＰＵ３４は、ＬＣＤドライバ４２，４３を制御して伸張された画像データを第１ＬＣＤパネル１８，または第２ＬＣＤパネル１９に表示させる。さらに、ＣＰＵ３４は、各種設定・操作画面をＬＣＤドライバ４２，４３を制御して２つのＬＣＤパネル１８，１９に表示させることができ、前述したように、画像削除モードにおいて、インデックス画像が一覧表示された画像リスト画面や削除画像リスト画面も表示することができる。
【００２６】
画像信号処理部３８は、データバス３９を介して、ＣＰＵ３４に接続されている。ＣＰＵ３４は、画像信号処理部３８を制御して、撮像された高解像度の画像データがバッファメモリ４１内に記録されている間に、例えば階調変換、色変換、画像の超低周波輝度成分の階調を圧縮するハイパートーン処理、粒状を抑制しながらシャープネスを強調するハイパーシャープネス処理等の画像処理を施す。
【００２７】
ＣＰＵ３４には、シャッタボタン１６が接続されており、ユーザからの画像記録命令を取得する。また、ＣＰＵ３４には、ＣＰＵ３４の動作に必要な制御プログラムが記憶されたＲＯＭ４６が接続されており、この制御プログラムに基づいて動作する。
【００２８】
次に、画像削除処理について図４のフローチャートを参照して説明を行う。まず、モード選択ボタン２３により再生モードを選択すると、再生モードのメニュー画面が表示される。この時、カーソル操作ボタン２１を押圧操作することにより、メニュー画面内のカーソルを移動させて、画像削除モードのアイコン上に移動させる。この状態で、選択ボタン２４が押圧操作されると画像削除モードが選択されて、画像削除モードに設定される。
【００２９】
画像削除モードに設定されると、図８に示すように、第１ＬＣＤパネル１８の画像リスト表示画面５０には、現在メモリカード２６に記録されている画像のインデックス画像５１ａ〜５１ｑが一覧表示される。
【００３０】
その後、図５のフローチャートに説明するように削除画像選択の処理が行われる。ユーザは、例えば、カーソル選択ボタン２１で削除したい画像のインデックス画像５１ａ上にカーソル５２を移動させ、選択ボタン２４を押圧操作することにより削除対象として選択される。削除対象として選択されたインデックス画像５１ａは、画像リスト画面５０から削除され、図９に示すように、第２ＬＣＤパネル１９の削除画像リスト画面５３に追加表示され、画像リストと削除画像リストが更新される。
【００３１】
その後、削除したい画像のインデックス画像が、画像リスト画面５０にあれば、同様の操作を繰り返す。これにより、図９に示すように、削除対象として選択した画像のインデックス画像５１ａ〜５１ｅが第２ＬＣＤパネル１９の削除画像リスト画面５３に追加表示される。この時、画像リスト画面５０と削除画像リスト画面５３の両方を常に確認しながら、削除する画像を選択できるので、誤って削除する必要のない画像を選択してしまうことを防止できる。
【００３２】
削除したい画像のインデックス画像が画像リスト画面５０になければ、カーソルを削除画像リスト画面５３に移動させることにより、削除画像選択の処理を終了する。
【００３３】
カーソルの画面移動は、２つの画面が水平に並んでいる（第１及び第２ＬＣＤパネル１８，１９が左右に並んでいる）場合は、カーソルを水平に動かし、一方の画面の端にカーソルがある状態から更にカーソルを進めると、カーソルがもう一方の画面の続きに移動する。画面が上下に並んでいる（第１及び第２ＬＣＤパネル１８，１９が縦に並んでいる）場合は、カーソルを上下に動かすことで、カーソルの画面移動が同様に行える。カーソルの画面移動の方法としては、上記以外に、各々の画面の任意位置にカーソルの画面移動のアイコンを表示して、カーソルをそのアイコン上に移動させて選択ボタン２４を押圧することにより移動するようにしても良い。また、専用の操作ボタンを設けても良い。
【００３４】
その後、図６のフローチャートに説明するように選択した削除画像の確認処理が行われる。削除対象として選択された画像のインデックス画像５１ａ〜５１ｅは、第２ＬＣＤパネル１９の削除画像リスト画面５３内に表示されている。確認処理は、削除画像リスト画面５３内に表示されたインデックス画像５１ａ〜５１ｅをユーザが確認して、削除を中止した画像があった場合は、そのインデックス画像上にカーソルを移動させた状態で選択ボタン２４を押圧することにより、その画像のインデックス画像が削除画像リスト画面５３から削除され、画像リスト画面５０に再度表示される。これにより、画像リストと削除画像リストが更新されて削除対象としての選択が解除される。また、選択解除のメニューやアイコンを表示して選択解除操作できるようにしても良いし、専用ボタン（専用スイッチ）で解除できるようにしても良い。
【００３５】
削除を中止したい画像が複数あれば、前述のような操作を数回繰り返し、全ての画像について削除確認を行い、確認処理が終了する。
【００３６】
削除画像リスト画面５３内には、削除実行アイコン５４が表示されており、削除確認が終了した時点で、カーソル５２を削除実行ボタン５４上に移動させ、カーソル５２が削除実行アイコン上にあるときに、選択ボタン２４を押圧操作することにより、図７のフローチャートにて説明するように削除が実行される。
【００３７】
この削除の実行により、削除画像リスト画面から削除対象として選択したインデックス画像が完全に削除されて削除画像リストが削除される。これと同時に、メモリ２６から削除対象として選択されたインデックス画像５１ａ〜５１ｅに対応する画像データが削除され、メモリ２６のファイル管理領域が更新される。これにより、画像削除モードの処理が終了する。
【００３８】
画像データの削除は、削除インデックス表示用画面の右下にある、削除実行アイコン５４を選択することで、削除が開始されるように説明したが、これに限るものではなく、削除方式は、予め方式を選択する機能を持たせても良い。例えば、一括削除アイコンを表示して、画像データを一括削除しても良いし、１画像毎に削除するアイコンを表示して、１画像データ毎に削除しても良い。また、専用の削除ボタンを複数種類設けても良い。
【００３９】
なお、本実施形態においては、第１ＬＣＤパネルに画像リスト画面を表示して、第２ＬＣＤパネルに削除画像リスト画面を表示するように説明したが、これに限るものではなく、逆に第２ＬＣＤパネルに画像リスト画面を表示して、第１ＬＣＤパネルに削除画像リスト画面を表示するようにしても良いし、セットアップモードにて表示位置を適宜設定変更可能にしても良い。
【００４０】
また、本実施形態においては、表示手段としてＬＣＤパネルを用いて説明したが、これに限るものではなく、有機ＥＬ、ＣＲＴ等を用いても良い。さらに、本実施形態においては表示手段として２画面設けているが、これに限るものではなく、３画面以上設けても良い。
【００４１】
また、２つの表示手段は、同一解像度でも、異なる解像度でも良い。一方がカラーで、他方が白黒でも良く、大きさも同一でなくても良い。
【００４２】
さらに、インデックス画像の代わりに、フォルダ（ディレクトリ）の名称を表示したアイコンや、フォルダを扱う代表的な画像のインデックス画像、または、フォルダの名称を文字列で表示しても良い。この場合は、フォルダを選択することにより、フォルダ内の画像データを一括して削除できるようにしても良い。
【００４３】
画像リスト画面に表示されるインデックス画像と削除画像リスト画面に表示されるインデックス画像のどちらかが多い場合には、一方の画面を分割し、もう一つの画面と合わせてより広い面積でインデックス画像を表示するようにしても良い。
【００４４】
【発明の効果】
以上説明したように、本発明のデジタルカメラによれば、削除する画像、削除しない画像を同時に表示するので削除前の確認が容易である。また、削除を中止したい画像が出てきた場合でも簡単に削除をやめることが出来るので、誤って削除する必要のない画像を削除することを防止でき、画像削除の操作が簡単で確実に行うことが出来る。
【００４５】
また、削除する画像と削除しない画像を並べて同時に表示するようにしたので、重複する画像かどうかの判別が容易であり、同じ絵柄の画像を何枚も残してしまうことを防止できるので、記録媒体を効率良く使用することが可能である。
【図面の簡単な説明】
【図１】本発明のデジタルカメラの前面側の形状を示すの外観斜視図である。
【図２】本発明のデジタルカメラの背面側の形状を示す外観斜視図である。
【図３】本発明のデジタルカメラの電気的構成を示すブロック図である。
【図４】画像削除処理全体を説明するフローチャート図である。
【図５】削除画像選択処理を説明するフローチャート図である。
【図６】削除画像確認処理を説明するフローチャート図である。
【図７】画像削除実行処理を説明するフローチャート図である。
【図８】画像リスト画面を説明する図である。
【図９】削除画像リスト画面を説明する図である。
【符号の説明】
１０  デジタルカメラ
２０  操作ボタン
２１  カーソル操作ボタン
２２  電源ボタン
２３  モード選択ボタン
２４  決定ボタン
２６  メモリカード
５０  画像リスト画面
５１ａ〜５１ｑ  インデックス画像
５２  カーソル
５３  削除画像リスト画面
５４  削除実行アイコン
【図１】
2004242093.tif 000003
【図２】
2004242093.tif 000004
【図３】
2004242093.tif 000005
【図４】
2004242093.tif 000006
【図５】
2004242093.tif 000007
【図６】
2004242093.tif 000008
【図７】
2004242093.tif 000009
【図８】
2004242093.tif 000010
【図９】
2004242093.tif 000011